(57)【要約】【課題】  表示素子を容易に脱着することができて破損を防止することができるようにしながらも、確実に固定することができるようにすること。【解決手段】  火災受信機の扉に設けた窓孔に設けられる表示部であって、前記扉の裏面側に設けられ、警戒監視区域が地図等によって図形化表示されて透光部を有する地図シートと、該地図シートの裏面側に設けられ、多数の挿通穴が形成された挿通板と、該挿通板の裏面側に設けられ、前記多数の挿通穴に対応して、多数の固定穴が形成された固定シートと、該固定シートの裏面側に設けられ、該固定シートを前記挿通板の裏面側に保持する押え部材と、該押え部材の裏面側から前記固定穴及び挿通穴に挿入されて、前記地図シートの透光部を照射する表示素子と、を備え、前記固定シートは弾性体からなり、前記固定穴の内径は、前記表示素子の外径よりも狭く、前記表示素子は、前記固定シートの弾性力により前記固定穴内で固定される。【選択図】  図５
2008129742.tif 000002
【特許請求の範囲】
【請求項１】
火災受信機の扉に設けた窓孔に設けられる表示部であって、
前記扉の裏面側に設けられ、警戒監視区域が地図等によって図形化表示されて透光部を有する地図シートと、
該地図シートの裏面側に設けられ、多数の挿通穴が形成された挿通板と、
該挿通板の裏面側に設けられ、前記多数の挿通穴に対応して、多数の固定穴が形成された固定シートと、
該固定シートの裏面側に設けられ、該固定シートを前記挿通板の裏面側に保持する押え部材と、
該押え部材の裏面側から前記固定穴及び挿通穴に挿入されて、前記地図シートの透光部を照射する表示素子と、を備え、
前記固定シートは弾性体からなり、前記固定穴の内径は、前記表示素子の外径よりも狭く、前記表示素子は、前記固定シートの弾性力により前記固定穴内で固定されることを特徴とする火災受信機の表示部。
【請求項２】
前記挿通穴の内径は、前記表示素子の外径とほぼ等しく、前記表示素子は前記挿通穴内で保持されることを特徴とする請求項１記載の火災受信機の表示部。
【請求項３】
前記挿通板は、その内側に前記固定シートとほぼ同形状の切り欠きが形成されて、該切り欠き内に前記固定シートが配置されることを特徴とする請求項１又は２記載の火災受信機の表示部。
【発明の詳細な説明】
【技術分野】
【０００１】
本発明は、火災受信機の表示部に関し、特に、警戒監視区域が地図等によって図形化表示されて透光部を有する表示部に関する。
【背景技術】
【０００２】
従来から、警戒監視区域が地図等によって図形化表示された表示部を有する地図表示機能を備えた火災受信機が知られている（例えば、特許文献１参照）。この火災受信機は、検知手段である警戒監視区域に設けられた火災感知器による火災感知結果を、表示部に設けた表示素子の点灯の状態にて表示するようにしている。
【０００３】
この表示部は、警戒監視区域が地図等によって図形化表示された表面パネル、多数の取付孔が形成されたランプ取付部、表示素子、例えば、発光ダイオード（以下、ＬＥＤという）よりなり、表面パネルには、火災感知器の設置場所等に合わせて透光部が配置されている。表示部は、表面パネルに描かれた地図の透光部に合わせて、ランプ取付部の所望の取付孔にＬＥＤを差し込み固定するものであり、そのＬＥＤの点灯の状態にて、使用者に警戒監視区域の火災の発生状態を直接的に知らせることができる。
【０００４】
ところで、火災感知器の設置場所などの変更などにより、度々、警戒監視区域のレイアウト変更が行われる。すると、火災受信機の表示部もそれに合わせて変更しなければならないため、次のようにして表示部の変更が行われる。まず古い表面パネルを破棄して、新たなレイアウトの地図が印刷されたものに取り替える。つぎに、ＬＥＤを取付孔から取り外して、表面パネルに描かれたレイアウト変更後の地図の透光部に合わせて、所望の取付孔にＬＥＤを挿入して固定する。
【特許文献１】実開昭５５−１０３７８７号公報。
【発明の開示】
【発明が解決しようとする課題】
【０００５】
従来、ランプ取付部には、ＬＥＤの直径よりも僅かに小さい径の取付孔を形成して、この取付孔にＬＥＤを圧入することにより固定していた。しかし、レイアウト変更によりＬＥＤを脱着する際に、ＬＥＤを圧入で固定していると強固に固定されているため、容易に脱着することができなかった。また、脱着の際、ＬＥＤを破損させる可能性もある。
【０００６】
本発明は以上の問題を解決するためになされたもので、表示素子の固定構造として、表示素子を容易に脱着することができて破損を防止することができるようにしながらも、確実に固定することができるようにすることを目的とする。
【課題を解決するための手段】
【０００７】
この発明は、火災受信機の扉に設けた窓孔に設けられる表示部であって、前記扉の裏面側に設けられ、警戒監視区域が地図等によって図形化表示されて透光部を有する地図シートと、該地図シートの裏面側に設けられ、多数の挿通穴が形成された挿通板と、該挿通板の裏面側に設けられ、前記多数の挿通穴に対応して、多数の固定穴が形成された固定シートと、該固定シートの裏面側に設けられ、該固定シートを前記挿通板の裏面側に保持する押え部材と、該押え部材の裏面側から前記固定穴及び挿通穴に挿入されて、前記地図シートの透光部を照射する表示素子と、を備え、前記固定シートは弾性体からなり、前記固定穴の内径は、前記表示素子の外径よりも狭く、前記表示素子は、前記固定シートの弾性力により前記固定穴内で固定されることを特徴とする。
【０００８】
また、前記挿通穴の内径は、前記表示素子の外径とほぼ等しく、前記表示素子は前記挿通穴内で保持されることを特徴とする。
【０００９】
また、前記挿通板は、その内側に前記固定シートとほぼ同形状の切り欠きが形成されて、該切り欠き内に前記固定シートが配置されることを特徴とする。
【発明の効果】
【００１０】
本発明は、地図シートと挿通板と固定シートと押え部材とを積層して設けて、押え部材の裏面側から、固定シートの固定穴及び挿通板の挿通穴に、表示素子を挿入する。固定シートは弾性体からなり、固定穴の内径は、表示素子の外径よりも狭く、表示素子は、固定シートの弾性力により固定穴内で固定されるようにしたので、レイアウト変更に際して、表示素子を容易に脱着することができて破損を防止することができるようにしながらも、確実に固定することができる。
【００１１】
また、表示素子を固定する固定部材として、1枚のシート状の固定シートを用いたので、挿通板の多数の挿通穴と固定シートの多数の固定穴の位置合わせが、個々に位置合わせする場合と比べて容易であり、組立性がよい。また、押え部材によって固定シートを挿通板の裏面側に保持するので、挿通板の多数の挿通穴と固定シートの多数の固定穴との保持が、個々に保持する場合と比べて容易であり、組立性がよい。
【００１２】
ここで、押え部材として、挿通板の多数の挿通穴（第１挿通穴）に対応して多数の挿通穴（第２挿通穴）が形成された１枚板状の押え板を用いると、挿通板と固定シートとが面状に接触して、挿通板の挿通穴からの固定シートの固定穴の浮き上がりを防止できるので、個々の表示素子を挿入方向に対して所定位置を規定することができ、地図シート上での照度のバラツキがなくなる。
【００１３】
また、挿通板の挿通穴の内径は、表示素子の外径とほぼ等しく、表示素子は挿通穴内で保持されるようにしたので、つまり、表示素子は、挿通穴内で保持されつつ、固定穴内で固定されているので、より確実に表示素子を固定することができる。
【００１４】
また、挿通板は、その内側に固定シートとほぼ同形状の切り欠きが形成されて、該切り欠き内に固定シートが配置されるようにしたので、挿通板の多数の挿通穴と、それに対応する固定シートの多数の固定穴の位置合わせが容易である。
【発明を実施するための最良の形態】
【００１５】
図１は本発明の火災受信機の正面図、図２は火災受信機の表示部（表示素子は省略）を扉裏面側から見た図、図３は図２の分解斜視図、図４は火災受信機の表示部の断面図、図５は表示素子の固定構造を示す図４の概略部分拡大図、図６は地図シートの拡大図である。
【００１６】
図１において、１は火災受信機である。２は受信機１の筐体、３は筐体２の本体、４は筐体２の扉である。扉４はヒンジにより本体３に開閉可能に支持され、前面には窓孔４１が設けられている。
【００１７】
５は表示部、７は操作部である。表示部５は、警戒監視区域が地図５２ａ等によって図形化表示されている。表示部５は、扉４の裏面側であって窓孔４１に設けられ、窓孔４１を通して、警戒監視区域の地図５２ａが視認可能となっている。
【００１８】
この火災受信機１は、警戒監視区域に設けられた火災感知器、防火戸などの端末機器が接続されて、該端末機器の作動状況を監視制御するものである。そして、表示部５には、図６に示すように、これら端末機器の設置場所等に合わせて地図５２ａに透光部５２ｂが配置されており、また、図４に示すように、透光部５２ｂに合わせて、その裏面側にＬＥＤ５６が固定されており、端末機器の作動状況、例えば、火災感知器の火災感知結果を、表示部５に設けたＬＥＤ５６の点灯の状態にて表示するようにしている。このＬＥＤ５６の点灯の状態にて、その照射光が透光部５２ｂから照射されるので、使用者は、端末機器の作動状況、例えば、警戒監視区域の火災の発生状態を直接的に知ることができる。
【００１９】
つぎに、図２乃至図６に基づいて、表示部５を説明する。図において、５１は保護板、５２は地図シート、５３は挿通板、５４は固定部材としての固定シート、５５は押え部材としての押え板、５６は表示素子としての発光ダイオード（以下、ＬＥＤという）である。表示部５は、窓孔４１に対向して、扉４の裏面側に、保護板５１、地図シート５２、挿通板５３、固定シート５４、押え板５５の順で積層して配置したものである。
【００２０】
具体的には、図３に示すように、扉４の裏面に保護板５１を取付固定し、また、地図シート５２、挿通板５３、固定シート５４、押え板５５をユニット化して取付固定したものを、押え板５５の一方の側辺部側に設けた蝶番４５によって、扉４の裏面側に開閉可能に取付固定したものである。そして、図５に示すように、押え板５５の裏面側から、固定シート５４の固定穴５４ｃ及び挿通板５３の第１挿通穴５３ｃに、ＬＥＤ５６を挿入して固定したものである。
【００２１】
保護板５１は、窓孔４１を覆う矩形形状の板であって、例えば透明なポリカーボネート樹脂などからなり、窓孔４１に対向するように扉４の裏面側に設けられている。
【００２２】
地図シート５２は、矩形形状のシートであって、例えばポリエステル樹脂などからなり、窓孔４１に対向するように保護板５１の裏面側に設けられている。地図シート５２の表面側には、例えば、ダイレクト印刷などにより、図６に示すように、警戒監視区域が地図５２ａ等によって図形化表示されており、また、端末機器の設置場所等に合わせて地図５２ａに透光部５２ｂが配置されている。
【００２３】
挿通板５３は、矩形形状の板であって、例えば不透明なＡＢＳ樹脂などからなり、地図シート５２の裏面側に設けられている。挿通板５３には、光の通り路としての多数の円筒状の第１挿通穴５３ｃがマトリクス状に形成されており、図示では、１８行２４列に形成されている。第１挿通穴５３ｃの内径は、ＬＥＤ５６の頭部５６ａの外径とほぼ等しい径である。また、挿通板５３には、その内側であって、裏面側に、固定シート５４とほぼ同形状の切り欠き５３ｂが形成されている。
【００２４】
固定シート５４は、矩形形状のシートであって、弾性体としての例えばシリコーンゴムなどからなり、挿通板５３の裏面側、具体的には、挿通板５３の切り欠き５３ｂ内に配置されるようになっている。そのため、挿通板５３の多数の挿通穴５３ｃと、それに対応する固定シート５４の多数の固定穴５４ｃの位置合わせが容易である。また、固定シート５４には、ＬＥＤ５６の固定用の多数の円筒状の固定穴５４ｃが、多数の第１挿通穴５３ｃに対応してマトリクス状に形成されている。固定穴５４ｃの内径は、ＬＥＤ５６の頭部５６ａの外径よりも狭い径である。
【００２５】
押え板５５は、略矩形形状の板であって、例えば鋼製などからなり、固定シート５４の裏面側に設けられている。また、押え板５５は、ＬＥＤ５６の挿通用の多数の円筒状の第２挿通穴５５ｃが、多数の第１挿通穴５３ｃに対応してマトリクス状に形成されている。第２挿通穴５５ｃの内径は、ＬＥＤ５６の鍔部５６ｂの外径よりも大きい径である。
【００２６】
ＬＥＤ５６は、砲弾型の頭部５６ａと、頭部５６ａの外径よりも大きい径の鍔部５６ｂと、リード線５６ｃとを有する。ＬＥＤ５６は、その頭部５６ａを、押え板５５の裏面側から第２挿通穴５５ｃ内に挿入することにより、固定穴５４ｃ及び第１挿通穴５３ｃを介して、地図シート５２の透光部５２ｂを照射することができる。そして、固定穴５４ｃ内で固定され、また、第１挿通穴５３ｃ内で保持されるようになっている。
【００２７】
つまり、図５の断面図を用いて説明すると、ＬＥＤ５６の頭部５６ａは、まず、押え板５５の第２挿通穴５５ｃに挿入されて、つぎに、固定シート５４の固定穴５４ｃに挿入される。このとき、固定穴５４ｃの内径は、頭部５６ａの外径より小さい径であるが、弾性体であるので、頭部５６ｂの挿入によって拡径して頭部５６ｂの挿通を許容し、頭部５６は、挿通板５３の第１挿通穴５３ｃに挿入される。そして、ＬＥＤ５６の鍔部５６ｂが固定シート５４の裏面側に当接すると、固定穴５４ｃが鍔部５６ｂの挿通を許容しない径なので、個々のＬＥＤ５６は挿入方向に対して所定位置に規定されて取り付けられる。なお、他の方法として、固定穴５４ｃが鍔部５６ｂの挿通を許容する径であっても、ＬＥＤ５６の鍔部５６ｂが固定シート５４の裏面側に当接したことを確認して、ＬＥＤ５６の挿入を止めることにより、個々のＬＥＤ５６は挿入方向に対して所定位置に規定されて取り付けられるようにすることもできる。
【００２８】
このとき、固定穴５４ｃは、弾性力により縮径する方向の力が作用するので、ＬＥＤ５６の頭部５６ａを固定穴５４ｃ内で挟持して確実に固定することができる。その上、第１挿通穴５３ｃの内径は、ＬＥＤ５６の頭部５６ａの外径とほぼ等しく形成されているので、第１挿通穴５３ｃ内で頭部５６ａが破損することのないように適度に保持することができる。即ち、この固定穴５４ｃと第１挿通穴５３ｃが協働することによって、ＬＥＤ５６の頭部５６ｂをより確実に固定することができる。なお、第１挿通穴５３ｃの内径が、ＬＥＤ５６の頭部５６ａの外径よりも大きく形成されていても、固定に関して問題ない。
【００２９】
第１挿通穴５３ｃにより、ＬＥＤ５６の光は、必要時に第１挿通穴５３ｃを通って、地図シート５２を照らし、描かれた地図５２ａの透光部５２ｂを点灯させる。このとき第１挿通穴５３ｃはライトガイド的な役割を担う部材でもある。そして、第１挿通穴５３ｃは、その内径がＬＥＤ５６の頭部５６ａの外径とほぼ等しく形成されているので、ＬＥＤ５６の照射軸のばらつきを防止して一定とすることができる。
【００３０】
なお、押え板５５の第２挿通穴５５ｃの内径について、ＬＥＤ５６の頭部５６ａの外径よりも大きい径であり、かつ、ＬＥＤ５６の鍔部５６ｂの外径よりも小さい径にして、ＬＥＤ５６の鍔部５６ｂが押え板５５の裏面側に当接するようにしても、個々のＬＥＤ５６を挿入方向に対して所定位置により規定して取り付けることができる。
【００３１】
ところで、上記の通り、地図シート５２、挿通板５３、固定シート５４、押え板５５はユニット化されている。そして、ＬＥＤ５６を固定する固定部材として、1枚のシート状の固定シート５４を用いたので、挿通板５３の多数の挿通穴５３ｃと固定シート５４の多数の固定穴５４ｃの位置合わせが、個々に位置合わせする場合と比べて容易であり、組立性がよい。さらに、押え板５５によって固定シート５４を挿通板５３の裏面側に保持するので、挿通板５３の多数の挿通穴５３ｃと固定シート５４の多数の固定穴５４ｃとの保持を、個々に保持する場合と比べて容易であり、組立性がよい。
【００３２】
ここで、押え板５５として、挿通板５３の多数の第１挿通穴５３ｃに対応して多数の第２挿通穴５５ｃが形成された１枚板状の押え板５５を用いたので、挿通板５３と固定シート５４とが面状に接触して、挿通板５３の挿通穴５３ｃからの固定シート５４の固定穴５４ｃの浮き上がりを防止できるので、個々のＬＥＤ５６を挿入方向に対して所定位置を規定することができ、地図シート５２上での照度のバラツキがなくなる。なお、押え板５５は、固定シート５４を挿通板５３の裏面側に保持する構造のものであればよく、１枚板状に限らず、例えば、枠状のものであってもよい。
【００３３】
以上のように構成された表示部５は、以下のようにして扉４の裏面側に固定される。
【００３４】
まず、保護板５１を扉４の裏面側に固定する。詳細に説明すると、保護板５１には、その上下左右の辺の両端側に取付用の孔が設けられ、また、その孔に対応して、扉４の裏面側には、窓孔４１の近くにネジ棒４３が設けられている。そして、保護板５１の上記取付用の孔を、ネジ棒４３に挿通し、その状態で、ネジ棒４３にナット４４を螺合する。
【００３５】
つぎに、挿通板５３の切り欠き５３ｂに固定シート５４を載置し、その裏面側に押え板５５を取り付けた状態で、挿通板５３と押え板５５の上下左右の辺の両端側にそれぞれ設けられた取付用の孔に、ネジ４６を挿通して、ナット４７で締め付け固定して、挿通板５３、固定シート５４、押え板５５をユニット化する。
【００３６】
そして、上記ユニットを、扉４の裏面側に開閉可能に取り付ける。詳細に説明すると、押え板５５には、その一方の側辺部側に蝶番４５が設けられ、また、他方の側辺部側に固定孔４８が設けられている。扉４の裏面側には、蝶番４５に対応して蝶番取付台４９が設けられ、また、固定孔に対応して固定台６０が設けられている。そして、蝶番４５を蝶番取付台４９に取り付けて、上記ユニットを開放状態に保持する。
【００３７】
この状態で、上記ユニットの表面側、即ち、挿通板５３の表面側に地図シート５２を取り付け、地図シート５２と挿通板５３の四隅にそれぞれ設けられた取付用の孔に、リベット６１を挿通することにより、地図シート５２をユニットに取り付ける。
【００３８】
つぎに、プリント基板にリード線５６ｃを接続したＬＥＤ５６を、地図シート５２の地図５２ａの透光部５２ｂに合わせて、押え板５５の裏面側から、固定シート５４の固定穴５４ｃ及び挿通板５３の第１挿通穴５３ｃに挿入して、ＬＥＤ５６を固定する。
【００３９】
そして、上記ユニットを扉４に対して閉じて、固定孔４８に固定ネジ６２を螺入して固定台６０と固定することにより、表示部５は、扉４の裏面側に固定される。そして、扉４を閉じる。
【００４０】
端末機器の設置場所の変更などにより、建築物の階層の内部のレイアウトの変更があったときは、次のようにして表示部５を更新して、レイアウトの変更に対応する。まず受信機１の扉４を開けて、固定ネジ６２を緩めて取り外し、上記ユニットを開く。
【００４１】
つぎに、リベット６１をドライバ等により取り外して、古い地図シート５２を取り外して破棄する。次いで、新たなレイアウトの地図５２ａが印刷されたものに取り替え、再度、リベット６１により上記ユニットに取り付ける。
【００４２】
取替後、その表面側の地図シート５２の透光部５２ｂを確認しながら、地図シート５２の透光部５２ｂに合わせて、必要なＬＥＤ５６を固定穴５４ｃから取り外し、レイアウト変更後の所定位置の固定穴５４ｃに移し替えて、上記ユニットに固定する。
【００４３】
そして、再度、上記ユニットを扉４に対して閉じて、固定孔４８に固定ネジ６２を螺入して固定台６０と固定することにより、表示部５は、扉４の裏面側に固定される。そして、扉４を閉じる。このようにして、表示部５はレイアウト変更に容易に対応可能であり、また、その際に、ＬＥＤ５６を容易に脱着することができて破損を防止することができるようにしながらも、確実に固定することができる。
【図面の簡単な説明】
【００４４】
【図１】本発明の火災受信機の正面図である。
【図２】火災受信機の表示部（表示素子は省略）を扉裏面側から見た図である。
【図３】図２の分解斜視図である。
【図４】火災受信機の表示部の断面図である。
【図５】表示素子の固定構造を示す図４の概略部分拡大図である。
【図６】地図シートの拡大図である。
【符号の説明】
【００４５】
１  火災受信機、２  筐体、３  本体、４  扉、５  表示部、７  操作部、４１  窓孔、４３  ネジ棒、４４  ナット、４５  蝶番、４６  ネジ、４７  ナット、４８  固定孔、４９  蝶番取付台、５１  保護板、５２  地図シート、５２ａ  地図、５２ｂ  透光部、５３  挿通板、５３ｂ  切り欠き、５３ｃ  第１挿通穴、５４  固定シート（固定部材）、５４ｃ  固定穴、５５  押え板（押え部材）、５５ｃ  第２挿通穴、５６  ＬＥＤ（表示素子）、５６ａ  頭部、５６ｂ  鍔部、５６ｃ  リード線、６０  固定台、６１  リベット、６２  固定ネジ。
【図１】
2008129742.tif 000003
【図２】
2008129742.tif 000004
【図３】
2008129742.tif 000005
【図４】
2008129742.tif 000006
【図５】
2008129742.tif 000007
【図６】
2008129742.tif 000008